(57)【要約】【課題】予熱後にグリル調理を行う際、加熱開始直後の管状ヒータ６や皿受け台３の温度が低いため最高温度に到達するまでの時間がかかり調理時間を短くできず、食品裏面も十分加熱することができなかった。【解決手段】加熱室１４と蓄熱板１２を加熱する加熱手段１７と、蓄熱板１２の温度と加熱室１４の温度を検出する二つの温度検出器１８、１９を設け、これらの温度により加熱手段１７を制御することで、予熱完了後に加熱室１４内に投入した被加熱体１１を短時間で最高加熱温度に到達させ、裏面にも良好な焼き色を着ける事が可能となり、短時間の加熱調理を実現できる。【選択図】図１
2010078206.tif 000002
【特許請求の範囲】
【請求項１】
食品を加熱する加熱室と、被加熱体を載置する蓄熱板と、前記蓄熱板を加熱する加熱手段と、前記蓄熱板の温度を検出する第一の温度検出器と、前記加熱室内の温度を検出する第二の温度検出器と、前記第一もしくは第二の温度検出器の温度により前記加熱手段を制御する制御手段を設けた加熱調理装置。
【請求項２】
蓄熱板を加熱する加熱手段が、加熱室内部の空気を循環加熱する空気加熱手段である請求項１記載の加熱調理装置。
【請求項３】
蓄熱板を加熱する加熱手段が、赤外線等の輻射熱を発生する輻射発生手段である請求項１記載の加熱調理装置。
【請求項４】
蓄熱板を加熱する加熱手段が、前記蓄熱板に接触して加熱を行う伝熱加熱手段である請求項１記載の加熱調理装置。
【請求項５】
蓄熱板を加熱する加熱手段が、加熱室内部の空気を循環加熱する空気加熱手段と赤外線等の輻射熱を発生する輻射発生手段と前記蓄熱板に接触して加熱を行う伝熱加熱手段の少なくとも二つ以上の手段を組み合わせである請求項１記載の加熱調理装置。
【請求項６】
蓄熱板の温度を検出する第一の温度検出器を前記蓄熱板の内部もしくは底面部に設けた請求項１記載の加熱調理装置。
【請求項７】
蓄熱板の表面温度を検出する第一の温度検出器を赤外線等の波長を検出する赤外線検出器で行う請求項１記載の加熱調理装置。
【請求項８】
輻射発生手段に第一の温度検出器を設け、前記第一の温度検出器の温度が第一の設定温度に到達するまで予熱され、調理開始と同時に短時間に最大輻射量を発揮する請求項３もしくは請求項５記載の加熱調理装置。
【請求項９】
輻射発生手段から輻射される輻射熱を反射する反射板に第一の温度検出器を設け、前記第一の温度検出器の温度が第二の設定温度に到達するまで予熱され、調理開始と同時に短時間に最大輻射量を発揮する請求項３もしくは請求項５記載の加熱調理装置。
【発明の詳細な説明】
【技術分野】
【０００１】
本発明は、被加熱体をグリル加熱やオーブン加熱する加熱調理装置に関するものである。
【背景技術】
【０００２】
代表的な電波や熱風や水蒸気により加熱調理できる加熱装置であるオーブン電子レンジは、被加熱体である食品を一つの加熱装置で加熱できるので、なべや釜や蒸し器等を準備する必要がない簡便さにより生活上の不可欠な機器になっている。
【０００３】
また、オーブン電子レンジはオーブン加熱による予熱機能を使用し３００℃前後まで予めオーブン庫内を暖めてから調理を行うモードが存在する。このオーブン予熱モードを使用すると加熱時間の短縮と表面に短時間で焼き色を着け美味しく仕上げることが可能な調理が出来るようになっていた（例えば、特許文献１参照）。
【特許文献１】特許第２５５３７０３号公報
【発明の開示】
【発明が解決しようとする課題】
【０００４】
しかしながら、図１４に示す従来の加熱調理装置では、予熱調理を行う際はオーブン庫内１を空の状態すなわち、被加熱物２や皿受け台３や網４の無い状態で加熱し、オーブン庫内１の温度をサーミスタ等の庫内温度検知センサ５で設定温度に到達するまで予熱を行うだけである。設定温度に到達し予熱が完了した後に、皿受け台３や網４の上に被加熱物２を乗せてオーブン庫内１に入れ、管状ヒータ６でグリル加熱を行うか、オーブン庫内１の上面に接した面状ヒータ７や下面に接した面状ヒータ８でオーブン加熱し調理を行う構成になっていた。さらに、予熱完了した後のオーブン庫内１を設定温度に保つために、面状ヒータ７と管状ヒータ６の加熱動作を交互に切り換えていた。
【０００５】
したがって、例えば次に魚を焼くグリル調理を行う際も、加熱開始直後の管状ヒータ６の温度が低いため、最高温度に到達するまでの時間がかかり、調理時間を短くすることが困難であった。また、食品を下部から加熱する皿受け台を高温に保持する事ができないため、食品裏面を十分加熱することができなかった。さらに、食パン等短時間で調理すべき食材に適した予熱や加熱を行うことができず、予熱完了後に１分以上の調理時間を必要とする課題があった。また、赤外線センサを使用して電波加熱を行う被加熱体の加熱温度を検出することは行われているが、蓄熱板の温度を検出して予熱完了判定を行うことは無かった。
【０００６】
本発明は、前記従来の課題を解決するもので、予熱を行う際にオーブン庫内に設けた蓄熱板を同時に加熱し、この蓄熱板の温度とオーブン庫内の温度を検出し、加熱制御することで次に調理する食材に最適な加熱条件と、蓄熱板による裏面加熱もでき、上下面とも良好な焼き色を着ける事が可能となり、短時間の調理を実現できる加熱調理装置を提供することを目的とする。
【課題を解決するための手段】
【０００７】
前記従来の課題を解決するために、本発明の加熱調理装置は、食品を加熱する加熱室と、被加熱体を載置する蓄熱板と、加熱室と蓄熱板を加熱する加熱手段と、蓄熱板の温度を検出する第一の温度検出器と、加熱室内の温度を検出する第二の温度検出器と、第一もしくは第二の温度検出器の温度により加熱手段を制御する制御手段を設け、予熱完了後に加熱室内に投入した被加熱体を短時間で加熱し調理を行う構成としている。
【０００８】
これによって、裏面にも良好な焼き色を着ける事が可能となり、短時間の加熱調理を実現できる。
【発明の効果】
【０００９】
本発明の加熱調理装置によれば、予熱完了時に、次に加熱調理する被加熱体に最適な加熱室温度と蓄熱板温度と加熱手段温度を保持することができ、被加熱体を加熱室に投入直後から最適な加熱を開始可能で、被加熱体の表面と裏面共に良好な焼き色を着ける事が可能となり、短時間の加熱調理を実現できる。例えば、食パンであれば数十秒で上下面共に良好な焼き色を着けることが可能となる。
【発明を実施するための最良の形態】
【００１０】
第１の発明の加熱調理装置は、食品を加熱する加熱室と、被加熱体を載置する蓄熱板と、蓄熱板を加熱する加熱手段と、蓄熱板の温度を検出する第一の温度検出器と、加熱室内の温度を検出する第二の温度検出器と、第一もしくは第二の温度検出器の温度により加熱手段を制御する制御手段を設けた構成としている。
【００１１】
これによって、予熱完了時に次に加熱調理する被加熱体に最適な加熱室温度と蓄熱板温度と加熱手段温度を保持することができ、被加熱体を加熱室に投入直後から最適な加熱を開始可能で被加熱体の表面と裏面共に良好な焼き色を着ける事ができ、短時間の加熱調理を実現可能で優れた加熱調理装置を提供できる。
【００１２】
第２の発明の加熱調理装置は、特に第１の発明において、蓄熱板を加熱する加熱手段が加熱室内部の空気を循環加熱する空気加熱手段で行う構成としている。
【００１３】
これによって、温風による予熱完了時に次に加熱調理する被加熱体に最適な加熱室温度と蓄熱板温度と加熱手段温度を保持することができ、被加熱体を加熱室に投入直後から最適な温風加熱を開始可能で被加熱体の表面と裏面共に良好な焼き色を着ける事ができ、短時間の加熱調理を実現可能で優れた加熱調理装置を提供できる。
【００１４】
第３の発明の加熱調理装置は、特に第１の発明において、蓄熱板を加熱する加熱手段が赤外線等の輻射熱を発生する輻射発生手段で行う構成としている。
【００１５】
これによって、赤外線等の輻射熱による予熱完了時に、次に加熱調理する被加熱体に最適な加熱室温度と蓄熱板温度と加熱手段温度を保持することができ、被加熱体を加熱室に投入直後から最適な輻射加熱を開始可能で被加熱体の表面と裏面共に良好な焼き色を着ける事ができ、短時間の加熱調理を実現可能で優れた加熱調理装置を提供できる。
【００１６】
第４の発明の加熱調理装置は、特に第１の発明において、蓄熱板を加熱する加熱手段が前記蓄熱板に接触して加熱を行う伝熱加熱手段で行う構成としている。
【００１７】
これによって、蓄熱板への直接熱伝導による予熱完了時に、次に加熱調理する被加熱体に最適な加熱室温度と蓄熱板温度と加熱手段温度を保持することができ、被加熱体を加熱室に投入直後から最適な熱伝導加熱を開始可能で被加熱体の特に裏面に良好な焼き色を着ける事ができ、短時間の加熱調理を実現可能で優れた加熱調理装置を提供できる。
【００１８】
第５の発明の加熱調理装置は、蓄熱板を加熱する加熱手段が加熱室内部の空気を循環加熱する空気加熱手段と赤外線等の輻射熱を発生する輻射発生手段と蓄熱板に接触して加熱を行う伝熱加熱手段の少なくとも二つ以上の手段を組み合わせて行う構成としている。
【００１９】
これによって、温風と輻射と熱伝導による複数の組み合わせによる予熱が可能で予熱完了時に、次に加熱調理する被加熱体に最適な加熱室温度と蓄熱板温度と加熱手段温度を保持することができ、被加熱体を加熱室に投入直後から最適な温風と輻射と熱伝導加熱を開始可能で被加熱体の表面と裏面共に良好な焼き色を着ける事ができ、短時間の加熱調理を実現可能で優れた加熱調理装置を提供できる。
【００２０】
第６の発明の加熱調理装置は、特に第１の発明において、蓄熱板の温度を検出する第一の温度検出器を蓄熱板の内部もしくは底面部に設けた構成としている。
【００２１】
これによって蓄熱板の温度を直接検出可能となり、正確な蓄熱板温度を制御し被加熱体の裏面を最適に加熱することが可能な優れた加熱調理装置を提供できる。
【００２２】
第７の発明の加熱調理装置は、特に第１の発明において、蓄熱板の表面温度を検出する第一の温度検出器を赤外線等の波長を検出する赤外線検出器で行う構成としている。
【００２３】
これによって蓄熱板の温度を直接検出可能となり、正確な蓄熱板温度を制御し被加熱体の裏面を最適に加熱することでき、さらに被加熱体自身の表面温度も検出できることから出来上がり温度を検出することが可能な優れた加熱調理装置を提供できる。
【００２４】
第８の発明の加熱調理装置は、特に第３もしくは第５の発明において、輻射発生手段に第一の温度検出器を設け、第一の温度検出器の温度が第一の設定温度に到達するまで予熱され、調理開始と同時に短時間に最大輻射量を発揮する構成としている。
【００２５】
輻射発生手段が第一の設定温度に到達するまで加熱し、予熱完了後も第一の設定温度を保持するように加熱し続けることで、調理開始直後から強い輻射熱を放射可能となり最大輻射量を発揮するまで短時間で到達できる優れた加熱調理装置を提供できる。
【００２６】
第９の発明の加熱調理装置は、特に第３もしくは第５の発明において、輻射発生手段から輻射される輻射熱を反射する反射板に第一の温度検出器を設け、第一の温度検出器の温度が第二の設定温度に到達するまで予熱され、調理開始と同時に短時間に最大輻射量を発揮する構成としている。
【００２７】
反射板の温度が第二の設定温度に到達するまで加熱し、予熱完了後も第二の設定温度を保持するように輻射発生手段を加熱し続けることで、反射板に設けた温度検出器の信頼性を向上すると共に調理開始直後から強い輻射熱を放射可能となり最大輻射量を発揮するまで短時間で到達できる優れた加熱調理装置を提供できる。
【００２８】
以下、本発明の実施の形態について、図面を参照しながら説明する。なお、この実施形態によって本発明が限定されるものではない。
【００２９】
（実施の形態１）
図１と図２は、本発明の第１の実施の形態における加熱調理装置であるオーブン電子レンジの構成図で、図１は庫内側面からみた断面図、図２は庫内正面から見た断面図である。
【００３０】
本実施の形態は、二つのアンテナを回転させる方式を用いたオーブン電子レンジであり、被加熱体である食品１１を蓄熱板１２よりも下側からマイクロ波を供給するために、マイクロ波を発生するマグネトロン１３を中央に設けた例であり、マグネトロン１３から発生したマイクロ波を加熱室１４内に導く導波管１５と、電波を加熱室１４へ発生させる回転アンテ１６を設けている。
【００３１】
特に本実施の形態は加熱室１４内部の空気を循環し加熱する空気加熱手段１７を設け、加熱された加熱室１４内部の空気温度を検出する第二の温度検出器である庫内サーミスタ１８と、蓄熱板１２の表面温度を検出する第一の温度検出器で赤外線検出器であるＩＲセンサ１９を設け、これらセンサの温度データをもとに空気加熱手段１７の加熱能力を制御する制御手段２０を設けたことである。空気加熱手段１７は空気を循環する循環ファン２１と、循環する空気を加熱するヒータ２２で構成されている。
【００３２】
これによって、空気加熱手段１７により加熱室１４内部の空気と蓄熱板１２の温度を設定温度まで昇温し予熱することができる。加熱調理する食品１１に最適な加熱室１４の温度と蓄熱板１２の温度を直接検出可能となり、正確な蓄熱板表面温度を制御し、ヒータ２２の温度も高温に保持することができる。予熱が完了した後に、加熱室１４に食品１１を入れ、食品１１を加熱室１４に入れた直後から最適な加熱を開始可能で食品１１の表面と裏面の両面に良好な焼き色を着ける事が可能となり、短時間の加熱調理を実現できる優れた加熱調理装置を提供できる。さらに、冷凍食品等を加熱する際には、空気加熱手段１７の温風による加熱と共に、マグネトロン１３からのマイクロ波加熱により冷凍食品１１を内部からも加熱でき、冷凍食品も短時間で焼き色を着ける調理が可能である。
【００３３】
以上本実施の形態では、二つのアンテナ６を回転させてマイクロ波を放射させる構成としているが、一つのアンテナ６を回転させてマイクロ波を放射させる構成でも同様の効果を発揮することが出来る。また、マイクロ波が発生しない構成であっても、同様の効果を発揮することができる。さらに、蓄熱板１２を加熱室１４の最下部に設ける構成を示しているが、最下部には皿受け台を設け、蓄熱板１２を着脱可能でなおかつ加熱室１４内部の予め設置可能な構成としている任意の高さに設けていても同様の効果を発揮することができる。
【００３４】
（実施の形態２）
図３、図４は、本発明の第１の実施の形態における加熱調理装置であるオーブン電子レンジの構成図で、庫内側面から見た側面断面図である。なお、第１の実施の形態と同一構造のものは同一符号を付与し、説明を省略する。
【００３５】
図３において、第１の実施の形態の構成と異なるところは、加熱室１４内の上部に蓄熱板１２を加熱する加熱手段である赤外線等の輻射熱を発生する輻射発生手段であるシーズヒータ２３を設けたことである。
【００３６】
これによって、シーズヒータ２３により、加熱室１４内部の空気と蓄熱板１２の温度を設定温度まで昇温し予熱することができる。加熱調理する食品１１に最適な加熱室１４の温度と、蓄熱板１２の温度を直接検出可能となり、正確に蓄熱板表面温度を制御し、シーズヒータ２３の温度も高温に保持することができる。予熱が完了した後に、加熱室１４に食品１１を入れ、食品１１を加熱室１４に入れた直後から最適な加熱を開始可能で食品１１の表面と裏面の両面に良好な焼き色を着ける事が可能となり、短時間の加熱調理を実現できる優れた加熱調理装置を提供できる。さらに、冷凍食品等を加熱する際には、空気加熱手段１７の温風による加熱と共に、マグネトロン１３からのマイクロ波加熱により冷凍食品１１を内部からも加熱でき、冷凍食品も短時間で焼き色を着ける調理が可能である。
【００３７】
つぎに、図４に示すようにシーズヒータ２３の代わりにミラクロンヒータ２４を設け、反射板２５を設けた構成について説明する。ミラクロンヒータ２４は熱容量が小さいため最高温度に到達するまでの時間が短く立ち上がりが早く、反射板２５により天面からの反射による輻射で蓄熱板１２や食品１１に多量の輻射熱を効率よく放射できるため更に調理時間を短縮することができる。
【００３８】
以上本実施の形態では、シーズヒータ２３やミラクロンヒータ２４を使用したれについて述べたが、ランプ系のヒータであるアルゴンランプやハロゲンランプ等を使用しても、同様の効果を発揮することが出来る。さらに、蓄熱板１２を加熱室１４の最下部に設ける構成を示しているが、最下部には皿受け台を設け、蓄熱板１２を着脱可能でなおかつ加熱室１４内部の予め設置可能な構成としている任意の高さに設けていても同様の効果を発揮することができる。
【００３９】
（実施の形態３）
図５は本発明の第１の実施の形態における加熱調理装置であるオーブン電子レンジの構成図で、庫内側面から見た側面断面図である。なお、第１の実施の形態と同一構造のものは同一符号を付与し、説明を省略する。
【００４０】
図５において、第１の実施の形態の構成と異なるところは、加熱室１４内の下部に蓄熱板１２を加熱する伝熱加熱手段であるシーズヒータ２５を直接接触させて設けたことである。
【００４１】
これによって、シーズヒータ２５により加熱室１４下部から蓄熱板１２を直接加熱し蓄熱板１２と加熱室１４の温度を設定温度まで昇温し予熱することができる。加熱調理する食品１１に最適な加熱室１４の温度と、蓄熱板１２の温度を正確に制御し、シーズヒータ２５の温度も高温に保持することができる。予熱が完了した後に、加熱室１４に食品１１を入れ、食品１１を加熱室１４に入れた直後から最適な加熱を開始可能で食品１１の特に裏面に良好な焼き色を着ける事が可能となり、短時間の加熱調理を実現できる優れた加熱調理装置を提供できる。さらに、冷凍食品等を加熱する際には、マグネトロン１３からのマイクロ波加熱により冷凍食品１１を内部からも加熱でき、冷凍食品も短時間で調理が可能である。
【００４２】
以上本実施の形態では、シーズヒータ２５を蓄熱板１２に直接接触させた例について述べたが、離して設けた場合でも少し遅れて蓄熱板１２の温度が上がるが同様の効果を発揮できる。また、ランプ系のヒータであるアルゴンランプやハロゲンランプ等を使用しても同様の効果を発揮することが出来る。
【００４３】
（実施の形態４）
図６から図９は本発明の第１の実施の形態における加熱調理装置であるオーブン電子レンジの構成図で、庫内側面から見た側面断面図である。なお、第１の実施の形態と同一構造のものは同一符号を付与し、説明を省略する。
【００４４】
図６において、第１の実施の形態の構成と異なるところは、空気加熱手段１７に加えて、加熱室１４内の上部に赤外線等の輻射熱を発生する輻射発生手段であるシーズヒータ２３をさらに設けたことである。
【００４５】
これによって、シーズヒータ２３と空気加熱手段１７の両加熱手段により、加熱室１４内部の空気と蓄熱板１２の温度を設定温度まですばやく昇温し予熱することができる。加熱調理する食品１１に最適な加熱室１４の温度と、蓄熱板１２の温度を直接検出可能となり、正確に蓄熱板表面温度を制御し、シーズヒータ２２と２３の温度も高温に保持することができる。予熱が完了した後に、加熱室１４に食品１１を入れ、食品１１を加熱室１４に入れた直後から最適な加熱を開始可能で食品１１の表面と裏面の両面に良好な焼き色を着ける事が可能となり、短時間の加熱調理を実現できる優れた加熱調理装置を提供できる。さらに、冷凍食品等を加熱する際には、空気加熱手段１７の温風による加熱と共に、マグネトロン１３からのマイクロ波加熱により冷凍食品１１を内部からも加熱でき、冷凍食
品も短時間で焼き色を着ける調理が可能である。
【００４６】
図７は、シーズヒータ２３を加熱室１４上部に設け、シーズヒータ２５を蓄熱板１２に直接接触させ加熱する組み合わせを示した例である。この構成であっても同様の効果を発揮することが出来る。
【００４７】
図８は、空気加熱手段１７とシーズヒータ２５を蓄熱板１２に直接接触させ加熱する組み合わせを示した例である。この構成であっても同様の効果を発揮することが出来る。
【００４８】
図９は、空気加熱手段１７と、シーズヒータ２３を加熱室１４上部に設け、シーズヒータ２５を蓄熱板１２に直接接触させ加熱する組み合わせを示した例である。この構成であっても同様の効果を発揮することが出来る。
【００４９】
（実施の形態５）
図１０、図１１は、本発明の第１の実施の形態における加熱調理装置の蓄熱板１２の断面構成図である。なお、第１の実施の形態と同一構造のものは同一符号を付与し、説明を省略する。
【００５０】
図１０において、第１の実施の形態の構成と異なるところは、第一の温度検出器であるサーミスタ２６を蓄熱板１２の裏面に設けたことである。
【００５１】
この構成により、予熱時の蓄熱板１２の中心温度を直接検出できることから、加熱室１４内部から蓄熱板１２の表面を加熱開始したときの過渡的な表面温度ではなく蓄熱板１２の裏面の温度を計測可能であり、正確な予熱完了を決定できる。すなわち、食材１１を入れたときの出来上がりレベルを均一に揃えることが可能となるものである。
【００５２】
図１１は、第一の温度検出器であるサーミスタ２６を蓄熱板１２の中心部に設けた例を示したものである。この構成であっても先ほど述べた蓄熱板１２の裏面に設けた例と同様の効果を発揮することが出来る。
【００５３】
（実施の形態６）
図１２は、本発明の第１の実施の形態における加熱調理装置の蓄熱板１２の断面構成図である。なお、第１の実施の形態と同一構造のものは同一符号を付与し、説明を省略する。
【００５４】
図１２において、第１の実施の形態の構成と異なるところは、第一の温度検出器である熱電対２７をシーズヒータ１８の表面に設け、第一の設定温度２８に到達するまで予熱を行う構成としたことである。
【００５５】
この構成により、予熱時のシーズヒータ２３の温度を直接検出できることから、比較的熱容量が小さいとはいえ最高温度まで立ち上がるに数十秒は必要とするシーズヒータ２３を予熱でき、正確な予熱完了を決定できる。例えば、第一の設定温度２８を６００℃とし、６００℃に到達した時点で予熱完了を報知する。予熱完了後はシーズヒータ２３をＯＮ／ＯＦＦ制御し６００℃を保持し、食材１１を入れたときの輻射開始を早められ短時間調理を実現することが可能となるものである。
【００５６】
図１３は、第一の温度検出器である熱電対２７をシーズヒータ２３の輻射を反射する反射板２９の裏側に設け、第二の設定温度３０に到達するまで予熱を行う構成としたものである。この構成であっても、先ほど述べたシーズヒータ２３に設けた例と同様の効果を発揮することが出来る。すなわち、予熱時の反射板２９の温度を直接検出できることから、
比較的熱容量が小さいとはいえ、最高温度まで立ち上がるに数十秒は必要とするシーズヒータ２３を予熱でき、正確な予熱完了を決定できる。例えば、第二の設定温度３０を４００℃とし、４００℃に到達した時点で予熱完了を報知する。
【００５７】
予熱完了後はシーズヒータ２３をＯＮ／ＯＦＦ制御し、反射板２８の温度４００℃を保持して、食材１１を入れた時の輻射開始を早められ、短時間調理を実現することが可能となるものである。さらに、加熱室１４内部に設ける必要がないため、食品１１から出る油や塩等による腐食による熱電対２７の信頼性低下を防ぐことが可能となる。さらに、蓄熱板１２を加熱室１４の最下部に設ける構成を示しているが、最下部には皿受け台を設け、蓄熱板１２を着脱可能でなおかつ加熱室１４内部の予め設置可能な構成としている任意の高さに設けていても同様の効果を発揮することができる。
【産業上の利用可能性】
【００５８】
以上のように本発明によれば、被加熱体を超高速に加熱することができるので、オーブンやグリル機能を使用する調理器具としてのオーブン電子レンジ、電気オーブン、業務用の各種オーブン加熱、解凍装置であるとか、乾燥装置などの工業分野での加熱装置、陶芸加熱、焼結あるいは生体化学反応等の用途に適用できる。
【図面の簡単な説明】
【００５９】
【図１】本発明の実施の形態１の加熱調理装置を側面から見た断面構成図
【図２】同加熱調理装置の正面から見た断面構成図
【図３】本発明の実施の形態２の加熱調理装置の側断面構成図
【図４】他の実施例の側面から見た断面構成図
【図５】本発明の実施の形態３の加熱調理装置の側断面構成図
【図６】本発明の実施の形態４の加熱調理装置の側断面構成図
【図７】他の実施例の側面から見た断面構成図
【図８】他の実施例の側面から見た断面構成図
【図９】他の実施例の側面から見た断面構成図
【図１０】本発明の実施の形態５の蓄熱板の断面構成図
【図１１】他の実施例の蓄熱板の断面構成図
【図１２】本発明の実施の形態６の加熱調理装置の側断面構成図
【図１３】他の実施例の側面から見た断面構成図
【図１４】従来の加熱調理装置の側面から見た断面図
【符号の説明】
【００６０】
１１  被加熱体
１２  蓄熱板
１４  加熱室
１７  空気加熱手段
１８  第二の温度検出器
１９  第一の温度検出器
２０  制御手段
２３  輻射発生手段
２５  伝熱加熱手段
２８  第一の設定温度
２９  反射板
３０  第二の設定温度
【図１】
2010078206.tif 000003
【図２】
2010078206.tif 000004
【図３】
2010078206.tif 000005
【図４】
2010078206.tif 000006
【図５】
2010078206.tif 000007
【図６】
2010078206.tif 000008
【図７】
2010078206.tif 000009
【図８】
2010078206.tif 000010
【図９】
2010078206.tif 000011
【図１０】
2010078206.tif 000012
【図１１】
2010078206.tif 000013
【図１２】
2010078206.tif 000014
【図１３】
2010078206.tif 000015
【図１４】
2010078206.tif 000016